(57)【特許請求の範囲】
【請求項１】
口部を通して内容物の充填空間に通じる容器本体と、口部を取り囲んで当該口部に固定される固定筒を有し充填空間に通じる注出筒が形成された注出栓と、容器本体に対して着脱可能に係合するオーバーキャップとを備え、
当該オーバーキャップに、その裏面から突出部を垂下させ、当該突出部が容器本体に対する装着時にて注出筒に挿入されることで内部通路をシールする注出容器であって、
突出部の全周に亘って環状の膨出部を設け、オーバーキャップの裏面から当該膨出部が内部通路に接触する部分までの長さを、オーバーキャップの取り外しに際して容器本体との係合が解除されるまでに要する移動距離よりも長くすることで、
当該オーバーキャップの突出部が、当該オーバーキャップの取り外しに際して容器本体との係合が解除された後も、内部通路のシール状態を維持するように、当該オーバーキャップの突出部を延長し、
注出栓に、口部を取り囲んで該口部に固定される固定筒を有し、該固定筒の内側を仕切る仕切壁にプルタブが一体に設けられ、該プルタブの引き起こしにより充填空間に通じる開口部が形成される中蓋を、ヒンジを介して繋ぎ、
前記内部通路の開口面積が前記開口部の開口面積よりも小さくされていることを特徴とする注出容器。
【請求項２】
請求項１において、容器本体が変形及び復元の可能なスクイズ式の容器であることを特徴とする注出容器。
【発明の詳細な説明】
【技術分野】
【０００１】
本発明は、容器本体に着脱可能に係合するオーバーキャップに、その裏面から突出部を垂下させると共に、当該突出部に環状の膨出部を設けることで、注出筒の内側に形成された内部通路をシール可能な注出容器に関するものである。
【背景技術】
【０００２】
従来の注出容器としては、例えば、容器本体に着脱可能に係合するオーバーキャップに、その裏面から突出部を垂下させると共に、当該突出部に環状の膨出部を設けることで、注出筒の内側に形成された内部通路をシール可能なものがある（例えば、特許文献１参照）。
【先行技術文献】
【特許文献】
【０００３】
【特許文献１】特開２００５−４１５０６号公報
【発明の概要】
【発明が解決しようとする課題】
【０００４】
しかしながら、従来の注出容器は、オーバーキャップを容器本体から取り外すときに、注出筒を通して内容物が噴き出すことがあった。
【０００５】
これに対し、本願発明者は、こうした噴出は、使用者がオーバーキャップの取り外しに際して胴部が強く把持されることに起因しており、シールが解除される瞬間がオーバーキャップと容器本体との係合が解除される瞬間と同時、又は、それよりも早いため、当該係合が解除されることに伴い、容器本体内の空気が注出筒を通して外界に噴き出すことによって、空気と共に内容物も一緒に噴き出すことにあることを見出した。
【０００６】
本発明の目的とするところは、オーバーキャップを取り外すときに、内容物が噴出することのない、新規な注出容器を提供することにある。
【課題を解決するための手段】
【０００７】
本発明は、口部を通して内容物の充填空間に通じる容器本体と、口部を取り囲んで当該口部に固定される固定筒を有し充填空間に通じる注出筒が形成された注出栓と、容器本体に対して着脱可能に係合するオーバーキャップとを備え、
当該オーバーキャップに、その裏面から突出部を垂下させ、当該突出部が容器本体に対する装着時にて注出筒に挿入されることで内部通路をシールする注出容器であって、
突出部の全周に亘って環状の膨出部を設け、オーバーキャップの裏面から当該膨出部が内部通路に接触する部分までの長さを、オーバーキャップの取り外しに際して容器本体との係合が解除されるまでに要する移動距離よりも長くすることで、
当該オーバーキャップの突出部が、当該オーバーキャップの取り外しに際して容器本体との係合が解除された後も、内部通路のシール状態を維持するように、当該オーバーキャップの突出部を延長し、
注出栓に、口部を取り囲んで該口部に固定される固定筒を有し、該固定筒の内側を仕切る仕切壁にプルタブが一体に設けられ、該プルタブの引き起こしにより充填空間に通じる開口部が形成される中蓋を、ヒンジを介して繋ぎ、
前記内部通路の開口面積が前記開口部の開口面積よりも小さくされていることを特徴とするものである。
【０００９】
本発明に係る容器本体としては、外部からの圧力に応じて、その内圧が高まるものであれば、様々なものを使用できるが、本発明に従えば、例えば、変形及び復元の可能なスクイズ式の容器が挙げられる。
【発明の効果】
【００１０】
本発明によれば、オーバーキャップの取り外しに際して、螺合・嵌合等といった容器本体との係合が解除された後も、注出筒の内側に形成された内部通路のシール状態が維持される。即ち、内部通路に対するシール状態は、容器本体との係合が解除された後の、オーバーキャップの取り外し操作と共に解除される。
【００１１】
従って、本発明によれば、オーバーキャップを取り外すときに、内容物が噴出することのない、新規な注出容器を提供することができる。
【００１２】
また、本発明によれば、オーバーキャップの裏面から突出部の膨出部が内部通路に接触する部分までの長さを、オーバーキャップの取り外しに際して容器本体との係合が解除されるまでに要する移動距離よりも長くすることで、オーバーキャップの取り外しに際しての、内容物の噴出防止を容易に実現することができる。
【００１３】
更に、本発明によれば、注出栓に、口部を取り囲んで該口部に固定される固定筒を有し、該固定筒の内側を仕切る仕切壁にプルタブが一体に設けられ、該プルタブの引き起こしにより充填空間に通じる開口部が形成される中蓋を、ヒンジを介して繋ぐように構成したので、未使用状態を維持する機能や注出量を切り換える機能を付加することができる。
【図面の簡単な説明】
【００１４】
【図１】(a)〜(c)はそれぞれ、本発明の一形態である、液体注出ボトルにおいて、オーバーキャップの取り外しに要する動作を模式的に示す要部斜視図である。
【図２】(a),(b)はそれぞれ、同形態において、オーバーキャップを取り外した際の、前後状態を模式的に示す要部断面図である。
【図３】(a),(b)はそれぞれ、従来の液体注出ボトルにおいて、オーバーキャップを取り外した際の、前後状態を模式的に示す要部断面図である。
【発明を実施するための形態】
【００１５】
以下、図面を参照して、本発明の一形態である、液体注出ボトルを詳細に説明する。
【００１６】
１は、使用者が把持する胴部１ａを有し口部１ｂを通して液状の内容物を充填する空間（以下、「充填空間」）Ｓ1に通じるスクイズ式のボトル（容器本体）である。ボトル１は、胴部１ａの押圧により変形させることができると共に、その押圧の解除により復元させることができる。
【００１７】
２は、図１等に示すように、口部１ｂを取り囲んで当該口部１ｂに固定される固定筒２ｂを有し、その内側を、図２(a)等に示すように仕切る仕切壁２ｃに、プルタブ２ａが一体に設けられた中蓋である。中蓋２は、プルタブ２ａの引き起こしにより、図２(b)に示すように、充填空間Ｓ1に通じる開口部Ａが形成される中蓋である。
【００１８】
３は、図２(b)に示すように、中蓋２にヒンジ４を介して繋がる天板３ａを有し、この天板３ａに開口部Ａを通して充填空間Ｓ1に通じる注出筒３ｂが形成された注出栓である。注出栓３は、同図に示すように、中蓋２の上部に着脱可能に被さって開口部Ａを通して充填空間Ｓ1に通じる空間Ｓ2を形成する。
【００１９】
５は、ボトル１の口部１ｂに被さるオーバーキャップである。オーバーキャップ５は、ボトル１に対して着脱可能に係合する外壁５ａを有する。外壁５ａは、口部１ｂを取り囲む周壁５ａ1と、この周壁５ａ1の上端開口を閉じる天壁５ａ2とからなる。
【００２０】
本形態では、周壁５ａ1の下端内側に、軸線Ｏ周りに環状の凹部５ｎが形成されているのに対し、ボトル１の肩部１ｃには、軸線Ｏ周りに環状の凸部１ｐが形成されている。これにより、オーバーキャップ５をボトル１の口部１ｂに被せて押し込むと、ボトル１の凸部１ｐがオーバーキャップ５の凹部５ｎに嵌合することで、オーバーキャップ５は、ボトル１に対して着脱可能に係合する。
【００２１】
なお、本発明に従えば、ボトル１にオーバーキャップ５を係合させる手段としては、本形態のような段差による嵌合（いわゆる、アンダーカット嵌合）以外に、おねじとめねじとの組み合わせによる螺合等を採用できる。
【００２２】
更に、本形態では、オーバーキャップ５には、その外壁５ａの天壁５ａ2裏面から中空の突出部（以下、「密封リング」）５ｐが一体に垂下する。密封リング５ｐの下端には、その全周（軸線Ｏ周り）に亘って環状の膨出部（以下、「環状シール部」）５ｓが一体に設けられている。本形態では、図２(a)に示すように、環状シール部５ｓがボトル１に対する装着時にて内部通路３ｒに挿入されることで、この内部通路３ｒをシールする。
【００２３】
ここで、環状シール部５ｓは、外壁５ａの天壁５ａ2裏面から内部通路３ｒに接触する部分（環状シール部５ｓの最大径部分）までの長さＬ1が、オーバーキャップ５の取り外しに際してボトル１との係合が解除されるまでに要する移動距離Ｈ（図２(b)参照）よりも長く設定されている。
【００２４】
かかる設定によれば、環状シール部５ｓが、オーバーキャップ５の取り外しに際してボトル１との係合が解除された後も、図２(b)に示すように、内部通路３ｒのシール状態を維持する。
【００２５】
即ち、本形態によれば、オーバーキャップ５の取り外しに際して、螺合・嵌合等といったボトル１との係合が解除された後も、図２(b)に示すように、注出筒３ｂの内側に形成された内部通路３ｒのシール状態が維持される。このため、内部通路３ｒに対するシール状態は、図２(b)の状態から更に進んで、ボトル１との係合が解除された後の、オーバーキャップ５の取り外し操作と共に解除される。
【００２６】
この場合、環状シール部５ｓによるシールが解除される瞬間は、ボトル１との係合が解除された後になるため、オーバーキャップ５の取外しに要する比較的な大きな把持力はボトル１の胴部１ａに加わらない。このため、ボトル１内の空気が内部通路３ｒを通して外界に噴き出すことによって、ボトル１の内容物が空気と共に一緒に噴き出すことがない。
【００２７】
従って、本発明によれば、オーバーキャップ５を取り外すときに、内容物が噴出することのない、新規な注出容器を提供することができる。
【００２８】
これに対し、従来の場合は、環状シール部５ｓは、外壁５ａの天壁５ａ2裏面から内部通路３ｒに接触する部分（環状シール部５ｓの最大径部分）までの長さＬ2が、オーバーキャップ５の取り外しに際してボトル１との係合が解除されるまでに要する移動距離Ｈ（図２(b)参照）よりも短く設定されている。
【００２９】
この場合、環状シール部５ｓによるシールが解除される瞬間は、ボトル１との係合が解除される前になるため、胴部１ａには、オーバーキャップ５の取外しに要する比較的大きな把持力が加わる。このため、ボトル１とオーバーキャップ５との係合が解除されると同時に、図3(b)の矢印に示すように、ボトル１内の空気が内部通路３ｒを通して外界に噴き出すことによって、ボトル１内の内容物が空気と共に一緒に噴き出すことがある。
【００３０】
また、本発明によれば、密封リング５ｐの全周に亘って環状シール部５ｓを設け、この環状シール部５ｓが内部通路３ｒに接触する部分までの長さＬ1を、オーバーキャップ５の取り外しに際してボトル１との係合が解除されるまでに要する移動距離Ｈよりも長くするようにしたので、オーバーキャップ５の取り外しに際しての、内容物の噴出防止を容易に実現することができる。
【００３１】
更に、注出栓３にヒンジ４を介して中蓋２を繋ぐように構成し、中蓋２にプルタブ２ａを設けるようにしたので、未使用状態を維持する機能や注出量を切り換える機能を付加することができる。
【００３２】
上述したところは、本発明の一形態を示したにすぎず、本発明に従えば、種々の変更を加えることができる。
【００３３】
また、本発明に従うオーバーキャップは、本形態のように、その外壁５ａが口部１ｂを取り囲む周壁５ａ1と、この周壁５ａ1の上端開口を閉じる天壁５ａ2とからなるものに限定されることなく、例えば、その外壁５ａをドーム状のものとすることができる。
【産業上の利用可能性】
【００３４】
本発明は、容器本体に着脱可能に係合するオーバーキャップに、その裏面から突出部を垂下させることで、注出筒の内側に形成された内部通路をシール可能な注出容器に適用することができる。また、本発明は、例えば、調味料であるソースに代表されるような、高粘度のものを内容物とする注出容器に適用することに有効であるが、液状の内容物であれば、これに限定されることはない。
【符号の説明】
【００３５】
１    ボトル（容器本体）
１ａ  胴部
１ｂ  口部
１ｐ  環状の凸部（係合部）
２    中蓋
２ａ  プルタブ
２ｂ  固定筒
２ｃ  仕切壁
３    注出栓
３ａ  天板
３ｂ  注出筒
４    ヒンジ
５    オーバーキャップ
５ａ  外壁
５ａ1 周壁
５ａ2 天壁
５ｎ  環状の凹部（係合部）
５ｐ  突出部（密封リング）
５ｓ  環状の膨出部
Ｌ1  外壁の裏面から内部通路に接触する部分（膨出部の最大径部分）までの長さ
H  オーバーキャップの取り外しに際してボトルとの係合が解除されるまでに要する移動距離
Ｓ1   充填空間
Ｓ2   空間
【図１】
0005868583.tif 000002
【図２】
0005868583.tif 000003
【図３】
0005868583.tif 000004